(57)【要約】【課題】  保守時などに機能する操作キーやその周りの構造を簡易にして部品点数やコストを抑えることができる操作キー付き開閉体制御装置を提供する。【解決手段】  本発明の操作キー付き開閉体制御装置は、保守時などにおいて開閉体の動作を起動させる１又は複数の操作キースイッチを表面に有する、箱状体でなっている。そして、各操作キースイッチが表面に設けられる箱状体の要素が、合成樹脂の射出成形によって形成されたものであり、各操作キースイッチのキートップは、射出成形時に、箱状体の要素と一体的に形成される。【選択図】      図２
2006049188.tif 000002
【特許請求の範囲】
【請求項１】
開閉体の動作を起動させる１又は複数の操作キースイッチを表面に有する、箱状体でなる操作キー付き開閉体制御装置であって、
上記各操作キースイッチが表面に設けられる上記箱状体の要素が、合成樹脂の射出成形によって形成されたものであり、上記各操作キースイッチのキートップが、上記箱状体の要素と一体的に形成されていることを特徴とする操作キー付き開閉体制御装置。
【請求項２】
上記箱状体の内部に、所定のカード状記録媒体の装填を条件として、上記各操作キースイッチからの操作信号を有効と判断する判断手段を備えると共に、上記各操作キースイッチが表面に設けられる上記箱状体の要素が、上記射出成形時に形成された、上記カード状記録媒体を挿通させる開口を有することを特徴とする請求項１に記載の操作キー付き開閉体制御装置。
【発明の詳細な説明】
【技術分野】
【０００１】
本発明は操作キー付き開閉体制御装置に関し、例えば、シャッター、ドア、窓、オーバーヘッドドア、門扉、ゲート（駐車場などのゲート）、ロールスクリーン（例えば遮光膜）、ブラインド、オーニング装置などの開閉装置における開閉体制御盤収容箱に適用し得るものである。
【背景技術】
【０００２】
シャッター装置等の開閉装置において、開閉体の動作は、リモコン送信機のキー操作や、開閉体の近傍壁面に設けられた固定操作部のキー操作などによって指示できるようになされている。リモコン送信機の操作キーや固定操作部の操作キーは、基板などに固着されたキースイッチ本体に、動作内容を表す文字などが記載されている、キースイッチとは別体のキートップを被覆させることで形成されており、キートップの外形（周囲形状）は、一般には、キースイッチ本体を取り付けるための穴や凹部などの外形と一致されている。リモコン送信機の操作キーについて、キートップの外形（周囲形状）が、キースイッチ本体を取り付けるための穴や凹部などの外形と一致している例は、特許文献１の図２に記載されている。なお、その他、シートタイプのスイッチを貼り付けるようにしたリモコン送信機や固定操作部等も存在する。
【特許文献１】特開２００１−３０９４５３号公報
【発明の開示】
【発明が解決しようとする課題】
【０００３】
ところで、例えば、シャッターの制御動作を行うシャッター制御盤は、その収容箱（開閉体制御盤収容箱）に収容された後、開口部の上部に設けられているシャッターの収容ケースや、壁面に設けられた凹部に納められたりする。ここで、保守動作などの便宜のために、シャッター制御盤にも、シャッターの動作を指示する操作キーが設けられている。このような操作キーは、開閉体制御盤収容箱が閉じた状態でも操作し得ることが保守時などの作業効率から好ましく、そのため、従来においては、開閉体制御盤収容箱の表面に対して、リモコン送信機の操作キーや固定操作部の操作キーと同様な方法で設けられていた。
【０００４】
しかしながら、リモコン送信機の操作キーや固定操作部の操作キーは、基本的には、ユーザが操作するものであるが、開閉体制御盤収容箱の操作キーは、主に保守作業者が操作するという相違を有する。すなわち、開閉体制御盤収容箱の操作キーは、見栄えを考慮する必要もなく、操作し得るという機能だけを実現できれば良く、コストをできる限り抑えることが望ましいものである。しかるに、リモコン送信機の操作キーや固定操作部の操作キーと同様な構造を採用しているため、コスト面や部品点数面などから機能が過度になっているということができる。
【０００５】
そのため、操作キーやその周りの構造を簡易にして部品点数やコストを抑えることができる、開閉体制御盤収容箱等の操作キー付き開閉体制御装置が望まれている。
【課題を解決するための手段】
【０００６】
かかる課題を解決するため、本発明の操作キー付き開閉体制御装置は、開閉体の動作を起動させる１又は複数の操作キースイッチを表面に有する、箱状体でなる装置であって、上記各操作キースイッチが表面に設けられる上記箱状体の要素が、合成樹脂の射出成形によって形成されたものであり、上記各操作キースイッチのキートップが、上記箱状体の要素と一体的に形成されていることを特徴とする。
【発明の効果】
【０００７】
本発明の操作キー付き開閉体制御装置によれば、操作キースイッチのキートップが、それが設けられる箱状体の表面要素に一体的に射出成形時に形成されたものであるので、部品点数を抑えることができ、コストを下げることができる。
【発明を実施するための最良の形態】
【０００８】
（Ａ）実施形態
以下、本発明による操作キー付き開閉体制御装置を、シャッター装置の制御盤収容箱に適用した一実施形態を、図面を参照しながら詳述する。
【０００９】
図１は、実施形態の制御盤収容箱の正面図を示している。制御盤収容箱１は、シャッター制御盤（図４参照）を収容している。なお、シャッター制御盤は、例えば、リモコン受信機からの操作信号や、シャッターのガイドレール脇の壁面などに設けられている固定操作部からの操作信号から、シャッター駆動部に対する駆動制御信号を形成してシャッターの開閉動作を制御したり、シャッターの動作履歴を管理したりなどするものである。なお、以下では、固定操作部が設けられておらず、ユーザはリモコン送信機に対してのみ、シャッター動作を変更するための操作ができるとして説明する。
【００１０】
制御盤収容箱１は、概ね直方体形状をしており、図１に示すように、平板状の扉体２が箱本体（図示せず）に対して複数の蝶番３によって連結されて構成されている。少なくとも、扉体２は、合成樹脂の射出成形によって形成されている。扉体２には、鍵穴４、３種類のキートップ５Ｏ、５Ｓ、５Ｃ、表示用窓部６、メモリカード用差込口７、及び、複数の配線挿通孔８が設けられている。
【００１１】
鍵穴４は、この扉体２と箱本体との間を、施解錠する物理的な鍵を受け入れるものであり、この鍵穴（部材）４を受け入れるための開口は、扉体２を射出成形で形成させる際に形成される。
【００１２】
表示用窓部６は、例えば、シャッターの累積動作回数などの保守に関連する情報などを表示する、複数の７セグメント表示素子でなるような表示部（図４参照）の表示面を外部へ露出させるための窓部である。メモリカード用差込口７は、シャッター制御盤の情報を授受したりシャッター制御盤に対する保守作業を実行し得る者の認証に用いたりするようなメモリカードの差し込み口である。配線挿通孔８は、シャッター制御盤と他の配線盤（例えばシャッター駆動部の電気回路配線盤やリモコン受信機の配線盤）との電気配線を挿通させる孔である。これらの表示用窓部６、メモリカード用差込口７及び配線挿通孔８も、扉体２を射出成形で形成させる際に形成される。
【００１３】
３種類のキートップ５Ｏ、５Ｓ、５Ｃはそれぞれ、当該制御盤収容箱１に設けられた、「開動作」、「停止動作」及び「閉動作」を起動する３種類のキースイッチ（後述する図３の２１Ｏ、２１Ｓ、２１Ｃ）のそれぞれのキートップとして機能するものである。図２は、これらのキートップ５Ｏ、５Ｓ、５Ｃを含む図１におけるII部を拡大して示す平面図である。図３は、図２のIII−III線断面図である。
【００１４】
キートップ５Ｏ、５Ｓ、５Ｃはそれぞれ、図２に示すように、扉体２の平面上に設けられた円環状の長孔１０Ｏ、１０Ｓ、１０Ｃによって形成された、舌状の上下揺動片１１Ｏ、１１Ｓ、１１Ｃを中心に形成されている。ここで、「上下揺動片」という用語における「上」及び「下」は、図１及び図２においては手前側が「上」であって奥側が「下」であり、図３においては、右側が「上」であって左側が「下」である。上下揺動片１１Ｏ、１１Ｓ、１１Ｃの下側には、図３に示すように、取付基板２０に取り付けられているキースイッチ２１Ｏ、２１Ｓ、２１Ｃが配置されている。上下揺動片１１Ｏ、１１Ｓ、１１Ｃは、キースイッチ方向の外力が加わっていない状態では、キースイッチ２１Ｏ、２１Ｓ、２１Ｃの最上部に軽く接するか、若しくは、多少離間しており、キースイッチ方向の外力が加わったときには、キースイッチ２１Ｏ、２１Ｓ、２１Ｃの操作子を移動させるものである。上下揺動片１１Ｏ、１１Ｓ、１１Ｃの内面には、該上下揺動片１１Ｏ、１１Ｓ、１１Ｃの揺動量、言い換えると、キースイッチ２１Ｏ、２１Ｓ、２１Ｃのストローク量（ストローク下限）を規制するストローク下限規制突起１２Ｏ、１２Ｓ、１２Ｃが設けられている。ストローク下限規制突起１２Ｏ、１２Ｓ、１２Ｃは、上下揺動片１１Ｏ、１１Ｓ、１１Ｃと一体的に射出成形で形成されるものであっても良く、また、上下揺動片１１Ｏ、１１Ｓ、１１Ｃと別部品であって後で取り付けられるものであっても良い。
【００１５】
図１及び図２では省略しているが、上下揺動片１１Ｏ、１１Ｓ、１１Ｃの表面には、「開」、「停」、「閉」の文字が直接記載されているか、若しくは、これら文字が記載されたシールが貼付される。
【００１６】
図４は、制御盤収容箱１に収容されているシャッター制御盤及びその周りの電気的構成例を示すものである。シャッター制御盤３０は、ＣＰＵ、ＲＯＭ、ＲＡＭなどでなる制御部３１を備え、この制御部３１が種々の制御などを実行する。
【００１７】
制御部３１には、例えば、リモコン受信機インターフェース部（リモコン受信機ＩＦ）３２、メモリカードアクセス部３３、表示部３４、シャッター駆動用リレー回路部３５及びキースイッチ２１Ｏ、２１Ｓ、２１Ｃが接続されている。
【００１８】
リモコン受信機ＩＦ３２は、いずれかの配線挿通孔（複数であっても良い）８を挿通している配線を介して、図示しないリモコン受信機と接続されており、リモコン受信機が受信したシャッター動作の指令信号を制御部３１に与えるものである。メモリカードアクセス部３３は、メモリカード用差込口７に差し込まれて当該アクセス部３３に装填されたメモリカード（図示せず）をアクセスするものであり、メモリカードから読み出されたデータは制御部３１に与えられ、メモリカードに記憶されるデータは制御部３１から与えられるようになされている。表示部３４は、制御部３１の制御下で、上述したように、シャッターの累積動作回数などの保守に関連する情報などを表示するものであり、表示用窓部６を介してその表示面が視認されるようになされている。シャッター駆動用リレー回路部３５は、シャッターを駆動するモータ（図示せず）等で構成されているシャッター駆動部に対し、開動作や停止動作や閉動作用の電源供給制御を実行させるリレー（励磁構成）やリレー接点などでなる回路部であり、制御部３１によって、リレーの状態が制御される。
【００１９】
上述した３種類のキースイッチ２１Ｏ、２１Ｓ、２１Ｃも制御部３１に接続されている。制御部３１は、例えば、保守専用などの所定のメモリカードがメモリカードアクセス部３３に装填されていることを、キースイッチ２１Ｏ、２１Ｓ、２１Ｃからの操作信号を有効なものとして取り込む１条件とする。また、制御部３１は、キースイッチ２１Ｏ、２１Ｓ、２１Ｃからの操作信号を有効なものとして取り込む状態になっている場合には、リモコン受信機が受信した操作信号を無視する。すなわち、保守時には、リモコン送信機によるシャッター動作を拒否し、キースイッチ２１Ｏ、２１Ｓ、２１Ｃからの操作信号だけを有効とする。仮に、シャッターを案内するレール脇に固定操作部が設けられていても、同様に、所定のメモリカードがメモリカードアクセス部３３に装填されている状態では、固定操作部からの操作信号を無視する。
【００２０】
上記実施形態によれば、シャッター制御盤に設けられるキースイッチのキートップを単独部品ではなく、制御盤収容箱の扉体を射出成形で形成する際に、扉体と一体的に形成するようにしたので、制御盤収容箱の部品点数や製造工数を抑え、コストを抑えることができる。ここで、扉体の射出成形時には、表示用窓部、メモリカード用差込口、及び、複数の配線挿通孔なども、キートップと同時に成形させるので、これらの開口を別途穴あけで設ける場合に比較して製造工数を削減でき、この点からもコストを抑えることができる。
【００２１】
また、メモリカード用差込口に着目すれば、シャッター制御盤に設けられているキースイッチだけを保守時などに有効とするための構成の製造工数を抑えていることになる。
【００２２】
（Ｂ）他の実施形態
上記実施形態では、保守時などでのみ有効に機能するキーの種類が、リモコン送信機などの一般ユーザが操作するキーの種類と同様なものを示したが、異なっていても良く、同様にするか異なるようにするかを切り替えられるようにしても良い。
【００２３】
上記実施形態では、３種類のキートップの大きさが同じものを示したが、キーの押し易さを変えるべく、図５に示すように、異なる大きさのキートップが混在しているものであっても良い。図５は、「停止動作」キーのキートップが、「開動作」及び「閉動作」のキートップより大きい例を示しているが、各キートップの大小関係はこれに限定されるものではない。３種類のキートップの並びも、「開動作」、「停止動作」、「閉動作」の順に限定されるものではない。
【００２４】
また、上記実施形態では、キートップが舌状の上下揺動片を中心として形成されたものを示したが、操作力の有無に応じて上下動する部分は、射出成形の過程で形成される構造であれば良く、舌状のものに限定されない。操作力の有無に応じて上下動する部分として、例えば、図６（Ａ）に示すように、左右の半円弧状の穴によって上下の僅かな部分で扉体に連結された円形部分を形成するようにしても良い。また、操作力の有無に応じて上下動する部分として、例えば、図６（Ｂ１）及び（Ｂ２）に示すように、円環状の薄肉部分を介して扉体に連結された円形部分を形成するようにしても良い。
【００２５】
さらに、上記実施形態では、制御盤収容箱の正面（扉体の表面）に操作キースイッチ（のキートップ）を設けるものを示したが、制御盤収容箱の他の表面（上面、下面、右側面、左側面）に操作キースイッチを設ける場合にも、本発明を適用することができる。要は、キースイッチを設ける表面を有する箱状要素を射出成形で形成する際に、その操作キースイッチのキートップも併せて形成させるものであれば良い。ここでの操作キースイッチを有する箱体は、制御盤収容箱に限定されない。保守時などにのみ有効に機能する操作キースイッチが、シャッター制御盤が設けられていない、基板（基板といっても箱状のものである）や箱体に設ける場合であれば、このような基板や箱体に対し、本発明の技術思想を適用する。
【００２６】
上記実施形態では、制御盤収容箱に設けるキースイッチの数が３個のものを示したが、キースイッチの数はこれに限定されるものではない。例えば、いわゆる１点式リモコン送信機と同様な方式により、１個のキースイッチでシャッター動作に関する操作信号を形成するものであっても良い。また、シャッター動作を指示する以外の内容（例えば、制御部３１が内蔵するタイマの時刻を調整することを起動すること）を指示するキースイッチについても、そのキートップを、制御盤収容箱の表面に、その表面部材と一体的に射出成形により形成させるようにしても良い。
【００２７】
本発明を適用し得る開閉装置は、シャッターに限定されず、ドア、窓、オーバーヘッドドア、門扉、ゲート（駐車場などのゲート）、ロールスクリーン（例えば遮光膜）、ブラインド、オーニング装置などであっても良い。
【図面の簡単な説明】
【００２８】
【図１】実施形態の操作キー付き開閉体制御装置（制御盤収容箱）を示す正面図である。
【図２】図１のII部拡大図である。
【図３】図２のIII−III線断面図である。
【図４】実施形態の制御盤収容箱に収容されたシャッター制御盤の機能ブロック図である。
【図５】他の実施形態（１）の操作キー付き開閉体制御装置でのキートップの説明図である。
【図６】他の実施形態（２）の操作キー付き開閉体制御装置でのキートップの説明図である。
【符号の説明】
【００２９】
１…制御盤収容箱、２…扉体、５Ｏ、５Ｓ、５Ｃ…キートップ、７…メモリカード用差込口、１０Ｏ、１０Ｓ、１０Ｃ…長孔、１１Ｏ、１１Ｓ、１１Ｃ…上下揺動片、２１Ｏ、２１Ｓ、２１Ｃ…キースイッチ、３０…シャッター制御盤、３１…制御部、３３…メモリカードアクセス部。
【図１】
2006049188.tif 000003
【図２】
2006049188.tif 000004
【図３】
2006049188.tif 000005
【図４】
2006049188.tif 000006
【図５】
2006049188.tif 000007
【図６】
2006049188.tif 000008